(57)【特許請求の範囲】
【請求項１】
既存のアナログ放送周波数を用い、アナログ放送と同時にデジタル信号が伝送されるハイブリッド方式の地上デジタルラジオ放送を受信するＨＤラジオ受信機であって、
オートストアの起動を契機に選局動作を行い、前記選局動作により受信した前記地上デジタルラジオ放送の放送局データが登録される記憶部と、
前記受信したラジオ放送の受信品質を検出する受信品質検出部と、
前記受信した地上デジタルラジオ放送から、単一の周波数で複数の番組が放送されるマルチキャスティングの放送番組数を判定し、前記受信品質検出部により検出される受信品質に優先して前記判定した放送番組数の多い放送局データを前記記憶部に登録する制御部と、
を備えたことを特徴とするＨＤラジオ受信機。
【請求項２】
前記制御部は、
前記マルチキャスティングの放送番組数が多い放送局データを前記受信品質検出部で検出される受信品質が高い順に前記記憶部に登録し、前記登録された放送局データ数が前記記憶部への最大登録数に満たない場合、残りは、前記アナログ放送も含めて受信品質が高い順に前記放送局データを登録することを特徴とする請求項１記載のＨＤラジオ受信機。
【請求項３】
操作部と、制御部と、記憶部とを少なくとも備え、前記制御部による制御のもとで受信品質を監視し、前記記憶部に選局動作により受信可能な放送局データを自動で登録するオートストア機能を有し、既存のアナログ放送周波数を用いてアナログ放送と同時にデジタル信号が伝送されるハイブリッド方式の地上デジタルラジオ放送を受信するＨＤラジオ受信機のオートストア制御方法であって、
前記操作部によりオートストアが起動された場合、前記制御部が、受信周波数を順次変更して選局動作を行うステップと、
前記制御部が、前記選局動作の都度受信したラジオ放送が所定の受信品質を有する場合に前記受信品質を前記記憶部に登録するステップと、
前記制御部が、前記選局動作により受信した前記ラジオ放送にデジタル放送が含まれるか否かを判定し、デジタル放送が含まれている場合、更に、単一の周波数で複数の番組が放送されるマルチキャスティングの放送番組数を判定するステップと、
前記制御部が、前記判定した放送番組数の多い放送局データを、前記受信品質に優先して前記記憶部に登録するステップと、
を有することを特徴とするＨＤラジオ受信機におけるオートストア制御方法。
【発明の詳細な説明】
【技術分野】
【０００１】
本発明は、既存のＡＭ／ＦＭアナログ放送の周波数を利用し、アナログ放送と同時にデジタル信号が伝送されるハイブリッド方式の地上デジタルラジオ放送を受信する、ＨＤラジオ（Ｈｙｂｒｉｄ  Ｄｉｇｉｔａｌ  Ｒａｄｉｏ）受信機およびオートストア制御方法に関する。
【背景技術】
【０００２】
近年、既存のＡＭ／ＦＭアナログ放送の周波数を利用し、アナログ放送と同時にデジタル信号を伝送する地上デジタルラジオ放送が普及している。
北米では、既に約１７００局以上の放送局でＩＢＯＣ（Ｉｎ―Ｂａｎｄ  Ｏｎ  Ｃｈａｎｎｅｌ）方式のハイブリッド放送が開始され、もしくは準備中である。【０００３】
ハイブリッド放送は、日本の地上デジタルラジオ放送とは異なり、既存のアナログ放送と同じ周波数を使用できるため、放送局は、新たにデジタル放送用の周波数を用意する必要がない。このため、従来のアナログ方式のラジオ受信機で既存の放送を受信できるとともに、デジタル受信に対応したＨＤラジオ受信機ではデジタルラジオ放送も受信可能である。ＨＤラジオ受信機によれば、デジタル信号を受信すると、ＡＭ放送ではＦＭ放送並みの音質が得られ、ＦＭ放送ではＣＤ（Ｃｏｍｐａｃｔ  Ｄｉｓｃ）並みの音質が得られる。【０００４】
ところで、ＨＤラジオ受信機には、受信可能な周波数帯内で受信状態が良好な放送局を順次サーチしてプリセットメモリに格納する機能（以下、オートストア機能という）が備えられていることが多い。このオートストア機能によれば、受信品質が良い順に放送局データをプリセットメモリに蓄積し、このプリセットメモリに格納された放送局データをユーザに提供することで選局時の利便性を与えることができる。【０００５】
ところが、上述したオートストア機能によれば、受信品質が良い順に受信可能な放送局データが蓄積され、ＨＤラジオ受信機ではアナログ放送局のデータが多く蓄積されるため、ＨＤラジオ受信機が本来持つ機能が十分に発揮されない。
このため、従来、デジタル放送とアナログ放送の受信周波数を順次検出し、デジタル放送に係る放送局から優先的に登録する受信装置のプリセット方法が知られている（例えば、特許文献１参照）。
【先行技術文献】
【特許文献】
【０００６】
【特許文献１】特開２００５−１３００５８号公報
【発明の概要】
【０００７】
上述した特許文献１に開示された技術によれば、デジタル放送が優先的にプリセットされるため、ＣＤ並みの音質を得る機会が増え、ＨＤラジオ受信機が本来持つ機能を幾分発揮できる。
ところで、ＨＤラジオが持つ機能の一つに、単一周波数で複数の放送プログラムを放送するマルチキャスティングと呼ばれるものがある。現在、ＦＭデジタル放送では、単一周波数で最大３つのプログラム（放送番組）を視聴することができる。このマルチキャスティング機能によれば、ＨＤラジオ規格として最大８つのプログラムまで放送可能なため、将来的にはさらにプログラム数が増える可能性がある。この機能により限られた周波数を有効に利用し、ユーザは、多くのプログラムを視聴することが可能になる。
【０００８】
これに対し、上述した特許文献１に開示された技術によれば、デジタル放送が優先的にプリセットされても、マルチキャスティングのプログラム数が少ない放送局データが多く蓄積されるといった不都合が生じることがあった。
【０００９】
本発明は上記した課題を解決するためになされたものであり、マルチキャスティングのプログラム数が多い順に放送局データをプリセットすることにより、ＨＤラジオ受信機が本来持つ機能を十分に発揮でき、ユーザに利便性を与えることのできる、ＨＤラジオ受信機およびオートストア制御方法を提供することを目的とする。
【００１０】
上記した課題を解決するために本発明のＨＤラジオ受信機は、既存のアナログ放送周波数を用い、アナログ放送と同時にデジタル信号が伝送されるハイブリッド方式の地上デジタルラジオ放送を受信するＨＤラジオ受信機であって、オートストアの起動を契機に選局動作を行い、前記選局動作により受信した前記ラジオ放送の放送局データが登録される記憶部と、前記受信したラジオ放送の受信品質を検出する受信品質検出部と、前記受信した地上デジタル放送から、単一の周波数で複数の番組が放送されるマルチキャスティングの放送番組数を判定し、前記受信品質検出部により検出される受信品質に優先して前記判定した放送番組数の多い放送局データを前記記憶部に登録する制御部と、を備えたものである。
【００１１】
また、本発明のＨＤラジオ受信機におけるオートストア制御方法は、操作部と、制御部と、記憶部とを少なくとも備え、前記制御部による制御のもとで受信品質を監視し、前記記憶部に選局動作により受信可能な放送局データを自動で登録するオートストア機能を有し、既存のアナログ放送周波数を用いてアナログ放送と同時にデジタル信号が伝送されるハイブリッド方式の地上デジタルラジオ放送を受信するＨＤラジオ受信機のオートストア制御方法であって、前記操作部によりオートストアが起動された場合、前記制御部が、受信周波数を順次変更して選局動作を行なうステップと、前記制御部が、前記選局動作の都度受信したラジオ放送が所定の受信品質を有する場合に前記受信品質を前記記憶部に登録するステップと、前記制御部が、前記選局動作により受信したラジオ放送にデジタル放送が含まれるか否かを判定し、デジタル放送が含まれている場合、更に、単一の周波数で複数の番組が放送されるマルチキャスティングの放送番組数を判定するステップと、前記制御部が、前記判定した放送番組数の多い放送局データを、前記受信品質に優先して前記記憶部に登録するステップと、を有するものである。
【００１２】
本発明によれば、マルチキャスティングのプログラム数が多い順に放送局データをプリセットすることにより、ＨＤラジオ受信機が本来持つ機能を十分に発揮でき、ユーザに利便性を与えることのできる、ＨＤラジオ受信機およびオートストア制御方法を提供することができる。
【図面の簡単な説明】
【００１３】
【図１】本発明の実施の形態１に係るＨＤラジオ受信機の構成を示すブロック図である。
【図２】本発明の実施の形態１に係るＨＤラジオ受信機の動作を示すフローチャートである。
【図３】本発明の実施の形態１に係るＨＤラジオ受信機の動作を従来例と対比しながら＜例１＞として表形式で示した図である。
【図４】本発明の実施の形態１に係るＨＤラジオ受信機の動作を従来例と対比しながら＜例２＞として表形式で示した図である。
【発明を実施するための形態】
【００１４】
以下、この発明をより詳細に説明するために、この発明を実施するための形態について、添付の図面に従って説明する。
実施の形態１．
図１は、本発明の実施の形態１に係るＨＤラジオ受信機１０の構成を示すブロック図である。
図１に示されるように、本発明の実施の形態１に係るＨＤラジオ受信機１０は、アンテナ１１と、フロントエンド１２と、ＦＭ検波部１３と、マルチプレクサ復調回路１４（以下、ＭＰＸ復調回路１４という）と、ＰＬＬ（Ｐｈａｓｅ  Ｌｏｃｋｅｄ  Ｌｏｏｐ）回路１５と、受信品質検出部１６と、プログラム数検出部１７と、ＩＢＯＣデコード部１８と、ブレンド部１９と、ＤＡコンバータ２０（以下、単にＤＡＣ２０という）と、制御部２１と、記憶部２２と、操作部２３と、により構成される。
【００１５】
図１において、アンテナ１１で受信されたＨＤラジオ放送波は、フロントエンド１２で希望の局が選択され、ＩＦ（中間周波数）信号に変換される。また、フロントエンド１２でＩＦ信号に変換された周波数信号は、内蔵のＡＤコンバータによりデジタル信号に変換され、ＦＭ検波部１３、およびＩＢＯＣデコード部１８に出力される。
フロントエンド１２は、プログラマブル分周器を含むＰＬＬ回路１５により制御され、このＰＬＬ回路１５に制御部２１が分周比を設定することで選局動作が行なわれる。
【００１６】
ＦＭ検波部１３の検波出力は、ＭＰＸ復調回路１４に供給され、ステレオ放送の場合は、Ｌ（左）、Ｒ（右）各チャンネルの信号に分離される。
ＩＢＯＣデコード部１８は、上述したＩＢＯＣ方式の復調を行う。ＩＢＯＣデコード部１８は、受信信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交波周波数分割多重）復調するＯＦＤＭ復調部１８ａと、デジタル符号化部１８ｂと、音声圧縮などの復調、デコードを行うオーディオデコーダ１８ｃとを含む。ＩＢＯＣデコード部１８でデコードされ生成される音声データは、ブレンド部１９へ入力される。
【００１７】
ブレンド部１９は、ＭＰＸ復調回路１４のアナログ放送波の受信音声（以下、アナログ受信音声という）と、ＩＢＯＣデコード部１８のデジタル放送波の受信音声（以下、デジタル受信音声という）とをブレンドしてＤＡＣ２０へ出力する。ＤＡＣ２０によりデジタル信号からアナログ信号に変換された音声信号は図示のオーディオ出力再生系へ供給される。
【００１８】
制御部２１は、例えば、メモリ内蔵のマイクロコンピュータにより構成され、マイクロコンピュータがメモリに記録されたプログラムを逐次読み出し実行することにより、受信品質検出部１６から出力される受信電界強度やノイズレベルなどの情報、および、プログラム数検出部１７により検出されるマルチキャスティングのプログラム数（放送番組数）、のそれぞれを取り込むことができる。
なお、受信品質検出部１６は、ＦＭ検波部１３により検波された信号から受信電界強度（ＲＳＳＩ）やノイズレベルなどの情報を検出し、プログラム数検出部１７は、ＩＢＯＣデコード部１８（ＯＦＤＭ復調部１８ａ）出力から信号に基づきマルチキャスティングのプログラム数（放送番組数）を検出するものとする。
【００１９】
制御部２１はまた、ユーザが、操作部２３（オートストア釦）を操作することによるオートストアの起動を検知すると、ＰＬＬ回路１５を制御して受信周波数を順次変更しながら選局動作を行い、受信可能放送局として選択した周波数、および放送局名等に関する放送局データを記憶部２２の放送局データリスト領域２２０に登録する。
【００２０】
図２は、本発明の実施の形態１に係るＨＤラジオ受信機１０の動作を示すフローチャートであり、詳しくは、図１に示す制御部２１の処理手順を示す。
以下、図２のフローチャートを参照しながら、図１に示す本発明の実施の形態１に係るＨＤラジオ受信機１０の動作について詳細に説明する。
【００２１】
制御部２１は、まず、ユーザによる操作部２３の操作（オートストア釦の押下）を検知したことを契機に、ＰＬＬ回路１５の分周比を変更しながら選局候補周波数によるラジオ放送の選局動作を開始する（ステップＳＴ２０１）。制御部２１は、選局動作の都度、受信品質検出部１６でラジオ放送の受信品質を監視しており（ステップＳＴ２０２）、受信電界強度（ＲＳＳＩ：Received Signal Strength Indication）が所定値以上あった場合（ステップＳＴ２０２“ＹＥＳ”）、そのＲＳＳＩ値を記憶部２２の放送局データリスト領域２２０に登録し（ステップＳＴ２０３）、所定値に満たなかった場合はステップＳＴ２０９の全周波数完了判定処理にジャンプし、ステップＳＴ２０１の次の選局候補周波数によるラジオ放送の選局動作を行う。
【００２２】
続いて制御部２１は、受信したラジオ放送にデジタル放送が含まれているか否かを判定する（ステップＳＴ２０４）。ここで、アナログ放送のみの場合は（ステップＳＴ２０４“ＮＯ”）、該当周波数のデーフィールドにマルチキャスティングプログラム数０として、記憶部２２の放送局データリスト領域２２０に記憶する（ステップＳＴ２０８）。
一方、受信したラジオ放送にデジタル放送が含まれている場合（ステップＳＴ２０４“ＹＥＳ”）、制御部２１は、更に、プログラム数検出部１７の出力を参照しながら、単一の周波数で複数の番組が放送されるマルチキャスティングの有無を判定する（ステップＳＴ２０５）。ここで、マルチキャスティングによる複数のプログラム放送ありと判定されると（ステップＳＴ２０５“ＹＥＳ”）、制御部２１は、記憶部２２の所定の領域に割り当てられた放送局リスト領域２２０の該当周波数のフィールドにプログラム数Ｎを登録し（ステップＳＴ２０６）、マルチキャスティングによるプログラム放送なしと判定されると（ステップＳＴ２０５“ＮＯ”）、マルチキャスティングのプログラム数１と登録する（ステップＳＴ２０７）。上記したステップＳＴ２０１〜ＳＴ２０８の動作は、全ての候補周波数の選局が終了するまで繰り返し実行される。
【００２３】
上記により全ての候補周波数の選局動作が終了すると（ステップＳＴ２０９“ＹＥＳ”）、制御部２１は、記憶部２２の放送局データリスト領域２２０を参照してマルチキャスティングのプログラム数が多い順にソートしてプリセット番号を付与する（ステップＳＴ２１０）。なお、マルチキャスティングのプログラム数が同じ場合に限り、受信品質検出部１６で検出された受信電界強度が高いものから順にプリセット番号が付与される。また、ステップＳＴ２０４のマルチキャスティング判定処理で、マルチキャスティングによる放送なしと判定されると（ステップＳＴ２０４“ＮＯ”）、記憶部２２（放送局リスト領域２２０）にリスト登録される放送局データは、受信品質検出部１６が常時監視する受信電界強度による。
【００２４】
次に、制御部２１は、記憶部２２の所定の領域に格納された放送局リスト２２０を参照し、記憶部２２の放送局データリスト領域２２０にリスト登録された放送局数が、オートストアの結果としてユーザに提供可能な最大プリセット局数であるか否かを判定する（ステップＳＴ２１１）。ここでは、例えば、最大プリセット局数“１０”であるか否かを判定する。ここで、最大プリセット局数であると判定されれば（ステップＳＴ２１１“ＹＥＳ”）、制御部２１は、上記した一連のオートストア動作を終了し、最大プリセット局数に満たないと判定された場合は（ステップＳＴ２１１“Ｎｏ”）、受信品質検出部１６で監視される受信電界強度が高い順に残りの放送局データリスト領域２２０にプリセット番号を付与する（ステップＳＴ２１２）。
【００２５】
図３、図４は、本発明の実施の形態１に係るＨＤラジオ受信機１０の動作を、従来例と対比しながら表形式で示した図である。
図３に示す＜例１＞、図４に示す＜例２＞ともに、各エントリが示す放送局データ毎に、周波数［ＭＨｚ］、受信電界強度（ＲＳＳＩ［ｄＢｕＶ］）、デジタル／アナログ放送の別、マルチキャスティングのプログラム数、従来のストア順、本実施の形態１によるストア順が、それぞれ示されている。
【００２６】
上述したように、ＩＢＯＣ方式では、既存のアナログ放送の周波数を利用し、アナログ放送と同時にデジタル信号を伝送しており、このため、受信可能な周波数帯にアナログ放送とデジタル放送が混在している。
したがって、受信電界強度が高いアナログ放送局が多数ある場合、従来のオートストア方法によれば、放送局データリスト領域２２０に、アナログ放送局の放送局データが多数ストアされ、デジタル放送局の放送局データ数が少なくストアされ、このため、ＨＤラジオ受信機が本来持つ機能を十分発揮できないといった不都合が生じる。これを、図３に記憶部２２の放送局データリスト領域２２０に設定登録される放送局データの一例として示している。また、受信可能な放送局が全てデジタル放送局の場合でも、従来は監視される受信品質に基づき判定を行っていたため、マルチキャスティングのプログラム数が少ない放送局を多くストアしてしまうこともある。これを、図４に記憶部２２の放送局データリスト領域２２０に設定される放送局データの一例として示している。
【００２７】
このような不都合に対し、本実施の形態１に係るＨＤラジオ受信機１０によれば、いかなる受信品質環境下でも、プログラム数の多いデジタル放送局のデータが優先的に記憶部２２（放送局データリスト領域２２０）にリスト登録される。
具体的に、図３に示す＜例１＞では、最大プリセット数を１０局とした場合、従来、アナログ放送局数が“８”、デジタル放送局数が“２（マルチキャスティングのプログラム数３）”リスト登録されたのに対し、本実施の形態１では、アナログ放送局数“２”、デジタル放送局数“８（マルチキャスティングのプログラム数１６）”リスト登録されることになる。すなわち、図３に示す＜例１＞によれば、本実施の形態１では、周波数が“９３．１ＭＨｚ”、ＲＳＳＩが“５１ｄＢｕＶ”、デジタル放送“Ｄ”、マルチキャスティングのプログラム数“３”で示されるエントリが、記憶部２２の放送局データリスト領域２２０に優先度が最上位の放送局データとしてリスト登録される。
【００２８】
また、例えば、図４に示す＜例２＞では、最大プリセット数を１０局として、従来、デジタル放送局数が“１０（マルチキャスティングのプログラム数１３）”であったのに対し、本＜例２＞では、デジタル放送局数が“１０（マルチキャスティングのプログラム数２５）”になる。
【００２９】
上記した本実施の形態１に係るＨＤラジオ受信機１０によれば、制御部２１が、受信した地上デジタルラジオ放送から、単一の周波数で複数の番組が放送されるマルチキャスティングの放送番組数を判定し、受信品質検出部１６により検出される受信品質に優先して判定したマルチキャスティングの放送番組数の多い放送局データを記憶部２２に登録することで、受信品質で判定していた従来例に比べ、高音質で、多数のプログラムをもつ周波数を優先的にオートストアできるようになるため、ＨＤラジオ受信機１０が本来持つ機能を十分に発揮でき、ユーザに利便性を提供することができる。
【００３０】
また、本実施の形態１に係るＨＤラジオ受信機１０によれば、制御部２１が、マルチキャスティングの放送番組数が多い放送局データを受信品質検出部１６で検出される受信品質が高い順に記憶部２２に登録し、登録された放送局データ数が記憶部２２への最大登録数に満たない場合、残りは、アナログ放送も含めて受信品質が高い順に放送局データを登録することにより、互換性を維持しなから、アナログ局、デジタル局に依存しないバランスの良い放送局データをオートストアすることができ、ユーザに一層の利便性を提供できる。
【００３１】
なお、図１に示す制御部２１が有する機能は、全てをソフトウェアによって実現しても、あるいはその少なくとも一部をハードウェアで実現してもよい。
例えば、受信した地上デジタルラジオ放送から、単一の周波数で複数の番組が放送されるマルチキャスティングの放送番組数を判定し、受信品質検出部１６により検出される受信品質に優先して判定した放送番組数の多い放送局データを記憶部２２に登録するデータ処理は、１または複数のプログラムによりコンピュータ上で実現してもよく、また、その少なくとも一部をハードウェアで実現してもよい。
【００３２】
また、本実施の形態１に係るオートストア制御方法は、例えば、図１に示されるように、操作部２３と、制御部２１と、記憶部２２とを少なくとも備え、前記制御部２１による制御のもとで受信品質を監視し、前記記憶部２２に選局動作により受信可能な放送局データを自動で登録するオートストア機能を有し、既存のアナログ放送周波数を用いてアナログ放送と同時にデジタル信号が伝送されるハイブリッド方式の地上デジタルラジオ放送を受信するＨＤラジオ受信機のオートストア制御方法であって、例えば、図２に示されるように、前記操作部によりオートストアが起動された場合、前記制御部が、受信周波数を順次変更して選局動作を行なう（ステップＳＴ２０１）と、前記制御部が、前記選局動作の都度受信したラジオ放送が所定の受信品質を有する場合に前記受信品質を前記記憶部に登録する（ステップＳＴ２０２、ＳＴ２０３）と、前記制御部が、前記選局動作により受信した前記ラジオ放送にデジタル放送が含まれるか否かを判定し、デジタル放送が含まれている場合、更に、単一の周波数で複数の番組が放送されるマルチキャスティングの放送番組数を判定する（ステップＳＴ２０４〜ＳＴ２０８）と、前記制御部が、前記判定した放送番組数の多い放送局データを、前記受信品質に優先して前記記憶部に登録する（ステップＳＴ２１０）と、を有するものである。
【００３３】
上記した本実施の形態１に係るオートストア制御方法によれば、受信した地上デジタル放送から、単一の周波数で複数の番組が放送されるマルチキャスティングの放送番組数を判定し、受信品質に優先して判定したマルチキャスティングの放送番組数の多い放送局データを登録するステップを有することで、高音質で、多数のプログラムをもつ周波数を優先的にオートストアできるようになるため、ＨＤラジオ受信機１０が本来持つ機能を十分に発揮でき、ユーザに利便性を提供することができる。
【産業上の利用可能性】
【００３４】
この発明に係るＨＤラジオ受信機およびオートストア制御方法は、ＨＤラジオ受信機が本来持つ機能を十分に発揮できることから、高音質で多数のプログラムを視聴したい場合等に用いるのに適している。
【図１】
0005398829.tif 000002
【図２】
0005398829.tif 000003
【図３】
0005398829.tif 000004
【図４】
0005398829.tif 000005